(57)【要約】【課題】本発明によれば、タブ内へ洗濯水を供給するための給水管に洗濯水が残留することを防止し、タブ内へ流入する洗濯水がサイフォン現象によって排水部を介して排水されることを防止することができる。【解決手段】本発明は、衣類処理装置に関し、具体的には、洗濯水を収容するタブ、前記タブ内に回転可能に設けられるドラム、前記タブ内に洗濯水を供給するように形成された給水部、及び前記タブの内側の洗濯水を排水するように形成された排水部を含み、前記給水部と前記排水部とは互いに連通するように形成されたことを特徴とする衣類処理装置に関する。【選択図】図１
2016032636.tif 000002
【特許請求の範囲】
【請求項１】
洗濯水を収容するタブと、
前記タブ内に回転可能に設けられるドラムと、
前記タブ内に洗濯水を供給するように形成された給水部と、
前記タブの内側の洗濯水を排水するように形成された排水部とを含み、
前記給水部と前記排水部とは互いに連通するように形成されたことを特徴とする、衣類処理装置。
【請求項２】
前記給水部は、
前記タブ内に洗濯水を供給するための供給管と、
前記タブの内側に向かって延びる給水管と、
前記供給管と前記給水管とを連結する給水連結管とを含み、
前記給水連結管の一端が前記排水部と連通するように形成された、請求項１に記載の衣類処理装置。
【請求項３】
前記供給管は、前記タブ内に冷水を供給するための冷水管、及び前記タブ内に温水を供給するための温水管を含み、
前記給水連結管は、前記冷水管と温水管とを連結するように形成され、
前記給水管は、前記給水連結管から前記タブの内側に向かって延びるように形成された、請求項２に記載の衣類処理装置。
【請求項４】
前記排水部は、
前記タブの内側の洗濯水を排出するための動力を提供する排水ポンプと、
前記排水ポンプに連結されて前記タブの内側の洗濯水を前記タブの外側に案内する排水ラインとを含み、
前記給水連結管の一端が前記排水ラインの一端と連通するように形成された、請求項２に記載の衣類処理装置。
【請求項５】
外観を形成するキャビネットと、
前記キャビネットの内部に引き込まれ、又、キャビネットの外部に引き出されるように形成され、前記タブを収容するドロワーハウジングとをさらに含み、
前記排水ラインは、前記ドロワーハウジングの背面に設置された排水ブラケットを介して前記給水連結管と連通するように形成された、請求項４に記載の衣類処理装置。
【請求項６】
前記排水ブラケットと前記給水連結管とは連通ホースを介して連通するように形成された、請求項５に記載の衣類処理装置。
【請求項７】
前記連通ホースと連結される前記給水連結管の一端には、前記タブ内に供給される洗濯水が前記排水ブラケットに向かって流れることを防止するためのチェック弁が設置された、請求項５に記載の衣類処理装置。
【請求項８】
前記連通ホースと連結される前記排水ブラケットの一端には、前記タブの外側に排水される洗濯水が前記給水連結管に向かって流れることを防止するためのチェック弁が設置された、請求項５に記載の衣類処理装置。
【請求項９】
洗濯物を処理するための主洗濯装置及び補助洗濯装置を備える衣類処理装置であって、
前記補助洗濯装置は、
外観を形成するキャビネットと、
前記キャビネットの内部に引き込まれ、又、キャビネットの外部に引き出されるように形成されたドロワーハウジングと、
前記ドロワーハウジング内に設置され、洗濯水を収容するタブと、
前記タブ内に回転可能に設けられるドラムと、
前記タブ内に洗濯水を供給するように形成された給水部と、
前記タブの内側の洗濯水を排水するように形成された排水部とを含み、
前記給水部と前記排水部とは互いに連通するように形成されたことを特徴とする、衣類処理装置。
【請求項１０】
前記給水部は、前記タブ内に洗濯水を供給するための供給管、前記タブの内側に向かって延びる給水管、及び前記供給管と前記給水管とを連結する給水連結管を含み、
前記排水部は、前記タブの内側の洗濯水を排出するための動力を提供する排水ポンプ、及び前記排水ポンプに連結されて前記タブの内側の洗濯水を前記タブの外側に案内する排水ラインを含み、
前記給水連結管の一端が前記排水ラインの一端と連通するように形成された、請求項９に記載の衣類処理装置。
【請求項１１】
前記供給管は、前記タブ内に冷水を供給するための冷水管、及び前記タブ内に温水を供給するための温水管を含み、
前記給水連結管は、前記冷水管と温水管とを連結するように形成され、
前記給水管は、前記給水連結管から前記タブの内側に向かって延びるように形成された、請求項１０に記載の衣類処理装置。
【請求項１２】
前記排水ラインは、前記ドロワーハウジングの背面に設置された排水ブラケットを介して前記給水連結管と連通するように形成された、請求項９に記載の衣類処理装置。
【請求項１３】
前記排水ブラケットと前記給水連結管とは、連通ホースを介して連通するように形成された、請求項１２に記載の衣類処理装置。
【請求項１４】
前記給水連結管の一端には、前記タブ内に供給される洗濯水が前記排水ブラケットに向かって流れることを防止するためのチェック弁が設置された、請求項１２に記載の衣類処理装置。
【請求項１５】
前記排水ブラケットの一端には、前記タブの外側に排水される洗濯水が前記給水連結管に向かって流れることを防止するためのチェック弁が設置された、請求項１２に記載の衣類処理装置。
【発明の詳細な説明】
【技術分野】
【０００１】
本発明は、衣類処理装置に係り、具体的には、主洗濯装置、及び前記主洗濯装置に追加的に備えられて洗濯物を処理する補助洗濯装置を含む衣類処理装置に関する。
【背景技術】
【０００２】
一般に、衣類処理装置は、洗濯物を洗濯する装置と、洗濯物を乾燥する装置と、洗濯物の洗濯及び乾燥の両方を行うことができる装置とを含む概念である。
【０００３】
洗濯物を衣類処理装置の前方から投入するフロントローディング方式（いわゆる「ドラム式洗濯機」）の衣類処理装置は、洗濯物を投入するために設けられた投入口が使用者の腰よりも低い位置に形成されているため、使用者は、洗濯物を衣類処理装置に投入するとき又は衣類処理装置から洗濯物を取り出すときに、腰を曲げなければならない、という不便さがあった。
【０００４】
このような不便さを解消するために、従来の衣類処理装置の中には、フロントローディング方式の衣類処理装置の下部に受け台を追加して投入口の高さを高めた衣類処理装置があった。
【０００５】
しかし、従来の衣類処理装置に備えられた受け台は、衣類処理装置の投入口を高めるための手段に過ぎず、洗濯物の洗濯や乾燥のような衣類処理機能を具現できないという欠点があった。
【０００６】
また、従来の衣類処理装置によれば、洗濯水を供給する給水管に洗濯水が残留することから、気温の低い冬場に給水管が凍結及び破損し得るという問題がある。
【発明の概要】
【発明が解決しようとする課題】
【０００７】
本発明は、上記問題点を解決するためのものであり、衣類処理のために備えられる衣類処理装置（例えば、主洗濯装置）に着脱可能に設けられて衣類の洗濯や乾燥を行うことができる別個の衣類処理装置（例えば、補助洗濯装置）を提供することを目的とする。
【０００８】
また、本発明は、キャビネットから引き出し可能に設けられて、洗濯物を収容する収容部に洗濯水を給水及び排水することが容易な衣類処理装置（即ち、補助洗濯装置）を提供することを目的とする。
【０００９】
また、本発明は、衣類処理装置の収容部内へ洗濯水を供給するための給水管に洗濯水が残留することを防止できる衣類処理装置を提供することを目的とする。
【００１０】
また、本発明は、排水部を介したタブ内の洗濯水の排水が完了する前にタブ内に洗濯水が給水されるとき、タブ内に流入する洗濯水までサイフォン（ｓｉｐｈｏｎ）現象によって排水されることを防止できる衣類処理装置を提供することを目的とする。
【課題を解決するための手段】
【００１１】
本発明は、上述した課題を解決するためのものであり、洗濯水を収容するタブ、前記タブ内に回転可能に設けられるドラム、前記タブ内に洗濯水を供給するように形成された給水部、及び前記タブの内側の洗濯水を排水するように形成された排水部を含み、前記給水部と前記排水部とは互いに連通するように形成されたことを特徴とする衣類処理装置を提供する。
【００１２】
このとき、前記給水部は、前記タブ内に洗濯水を供給するための供給管、前記タブの内側に向かって延びる給水管、及び前記供給管と前記給水管とを連結する給水連結管を含み、前記給水連結管の一端が前記排水部と連通するように形成されてもよい。
【００１３】
また、前記供給管は、前記タブ内に冷水を供給するための冷水管、及び前記タブ内に温水を供給するための温水管を含み、前記給水連結管は、前記冷水管と温水管とを連結するように形成され、前記給水管は、前記給水連結管から前記タブの内側に向かって延びるように形成されてもよい。
【００１４】
また、前記排水部は、前記タブの内側の洗濯水を排出するための動力を提供する排水ポンプと、前記排水ポンプに連結されて前記タブの内側の洗濯水を前記タブの外側に案内する排水ラインとを含み、前記給水連結管の一端が前記排水ラインの一端と連通するように形成されてもよい。
【００１５】
一方、本発明の実施例に係る衣類処理装置は、外観を形成するキャビネットと、前記キャビネットの内部に引き込まれ、又、キャビネットの外部に引き出されるように形成され、前記タブを収容するドロワーハウジングとをさらに含み、前記排水ラインは、前記ドロワーハウジングの背面に設置された排水ブラケットを介して前記給水連結管と連通するように形成されてもよい。
【００１６】
このとき、前記排水ブラケットと前記給水連結管とは連通ホースを介して連通するように形成されてもよい。
【００１７】
また、前記連通ホースと連結される前記給水連結管の一端には、前記タブ内に供給される洗濯水が前記排水ブラケットに向かって流れることを防止するためのチェック弁が設置されてもよい。
【００１８】
また、前記連通ホースと連結される前記排水ブラケットの一端には、前記タブの外側に排水される洗濯水が前記給水連結管に向かって流れることを防止するためのチェック弁が設置されてもよい。
【００１９】
一方、本発明の実施例によれば、洗濯物を処理するための主洗濯装置及び補助洗濯装置を備える衣類処理装置であって、前記補助洗濯装置は、外観を形成するキャビネットと、前記キャビネットの内部に引き込まれ、又、キャビネットの外部に引き出されるように形成されたドロワーハウジングと、前記ドロワーハウジング内に設置され、洗濯水を収容するタブと、前記タブ内に回転可能に設けられるドラムと、前記タブ内に洗濯水を供給するように形成された給水部と、前記タブの内側の洗濯水を排水するように形成された排水部とを含み、前記給水部と前記排水部とは互いに連通するように形成されたことを特徴とする衣類処理装置が提供される。
【００２０】
このとき、前記給水部は、前記タブ内に洗濯水を供給するための供給管、前記タブの内側に向かって延びる給水管、及び前記供給管と前記給水管とを連結する給水連結管を含み、前記排水部は、前記タブの内側の洗濯水を排出するための動力を提供する排水ポンプ、及び前記排水ポンプに連結されて前記タブの内側の洗濯水を前記タブの外側に案内する排水ラインを含み、前記給水連結管の一端が前記排水ラインの一端と連通するように形成されてもよい。
【００２１】
また、前記供給管は、前記タブ内に冷水を供給するための冷水管、及び前記タブ内に温水を供給するための温水管を含み、前記給水連結管は、前記冷水管と温水管とを連結するように形成され、前記給水管は、前記給水連結管から前記タブの内側に向かって延びるように形成されてもよい。
【００２２】
また、前記排水ラインは、前記ドロワーハウジングの背面に設置された排水ブラケットを介して前記給水連結管と連通するように形成されてもよい。
【００２３】
また、前記排水ブラケットと前記給水連結管とは連通ホースを介して連通するように形成されてもよい。
【００２４】
一方、前記給水連結管の一端には、前記タブ内に供給される洗濯水が前記排水ブラケットに向かって流れることを防止するためのチェック弁が設置されてもよい。
【００２５】
また、前記排水ブラケットの一端には、前記タブの外側に排水される洗濯水が前記給水連結管に向かって流れることを防止するためのチェック弁が設置されてもよい。
【発明の効果】
【００２６】
本発明は、衣類処理のために備えられる衣類処理装置（即ち、主洗濯装置）に着脱可能に設けられて衣類の洗濯や乾燥を行うことができる別個の衣類処理装置（即ち、補助洗濯装置）を提供することができる。
【００２７】
また、本発明は、キャビネットから引き出し可能に設けられて、洗濯物を収容する収容部へ洗濯水を給水及び排水することが容易な衣類処理装置を提供することができる。
【００２８】
また、本発明は、衣類処理装置の収容部内へ洗濯水を供給するための給水管に洗濯水が残留することを防止できる衣類処理装置を提供することができる。
【００２９】
また、本発明は、タブ内に流入する洗濯水がサイフォン現象によって排水部を介して排水されることを防止できる衣類処理装置を提供することができる。
【図面の簡単な説明】
【００３０】
【図１】本発明に係る衣類処理装置を示す斜視図である。
【図２】本発明に係る衣類処理装置の概略的な断面図である。
【図３】本発明に係る衣類処理装置の分解図である。
【図４】本発明に係る補助洗濯装置のドロワーハウジングの背面に設けられる排水部を示す背面図である。
【図５】図４の排水部を概略的に示す斜視図である。
【図６】本発明に係る補助洗濯装置の給水部を示す図である。
【図７】図６の給水部を示す拡大図である。
【発明を実施するための形態】
【００３１】
本発明の説明において、各構成要素の名称は本発明における機能を考慮して定められたものである。従って、本発明の技術的構成要素を限定する意味として理解されてはならない。また、各構成要素に定められたそれぞれの名称は、当業界で異なる名称で呼ばれることもある。
【００３２】
また、本明細書において言及される衣類、洗濯物は、服及び衣服だけでなく、履物、靴下、手袋及び帽子等のように人が着用できる対象物を含み、洗濯物は、洗濯を行うことができる全ての対象物を含んでもよい。
【００３３】
以下、添付の図面を参照して、本発明に係る衣類処理装置について詳細に説明する。
【００３４】
図１は、本発明の実施例に係る衣類処理装置を示す斜視図であり、図２は、本発明の実施例に係る衣類処理装置を概略的に示す断面図である。
【００３５】
図１及び図２に示すように、本発明に係る衣類処理装置１００は、主洗濯装置２００及び補助洗濯装置３００を含んでもよい。そして、補助洗濯装置３００は、主洗濯装置２００の一端又は下部に備えられてもよい。また、主洗濯装置２００は、主洗濯装置２００の外形を形成する第１キャビネット２１０を備え、補助洗濯装置３００は、補助洗濯装置３００の外形を形成する第２キャビネット３１０を備えてもよい。このとき、前記第１キャビネット２１０及び第２キャビネット３１０は一体的に形成されてもよい。一方、本発明に係る衣類処理装置１００は、主洗濯装置２００のみ又は補助洗濯装置３００のみで構成されてもよい。
【００３６】
主洗濯装置２００は、フロントローディング方式の洗濯装置であることが好ましい。例えば、主洗濯装置２００の前方にドア２５０が設置され、前記ドア２５０を介して、洗濯物が主洗濯装置２００内に収容されてもよい。
【００３７】
具体的には、主洗濯装置２００は、外観を形成する第１キャビネット２１０、第１キャビネット２１０内に設けられて洗濯水が貯蔵される第１タブ２２０、及び第１タブ２２０内に回転可能に設けられて洗濯物が収容される第１ドラム２３０を備えてもよい。第１ドラム２３０は、第１キャビネット２１０内で第１タブ２２０の外側に設けられた第１モータ２４０により回転できる。すなわち、第１モータ２４０の第１シャフト２４１が、第１タブ２２０の後面を貫通して第１ドラム２３０の後面に連結されている。したがって、第１モータ２４０の駆動力は、第１シャフト２４１を介して第１ドラム２３０に伝達され得る。
【００３８】
また、第１ドラム２３０の内周面には、第１ドラム２３０の内部に収容される洗濯物を持ち上げた後に落とすことができる１つ以上のリフター２３１が設置されてもよい。また、第１キャビネット２１０内には、第１タブ２２０及び後述する補助洗濯装置３００の第２タブ３２０に洗濯水を供給するための給水部１１０、及び洗濯が完了した後に第１タブ２２０及び第２タブ３２０から洗濯水を排水するための排水部１２０等が設けられてもよい。
【００３９】
給水部１１０は給水ポンプ及び供給ライン１１１を備えてもよい。排水部１２０は排水ポンプ及び排水管を備えてもよい。また、給水部１１０には、衣類処理装置の外部の水源から洗濯水の供給を受けるための供給ライン１１１が連結されている。給水部１１０に供給された洗濯水は、第１ライン１１２に沿って洗剤入れ２６０を経由して第１タブ２２０内に供給され、又、第２ライン１１３に沿って後述する補助洗濯装置３００の第２タブ３２０に選択的に供給され得る。洗濯水を第１タブ２２０及び第２タブ３２０に選択的に供給するために、第１ライン１１２及び第２ライン１１３は第１弁１１４及び第２弁１１５をそれぞれ備えてもよい。すなわち、第１弁１１４は第１ライン１１２を開閉し、第２弁１１５は第２ライン１１３を開閉することができる。
【００４０】
一方、第１ドラム２３０の回転により第１タブ２２０に伝達される振動を吸収するための１つ以上のダンパー２７０が、第１キャビネット２１０と第１タブ２２０との間に設置されてもよい。また、第１タブ２２０と後述する補助洗濯装置３００のキャビネットとの間にもダンパー（例えば、シリンダーダンパー）が設置されてもよい。このとき、ダンパー２７０は、スプリングダンパーまたはシリンダーダンパーであってもよい。また、主洗濯装置２００を操作するためのコントロールパネル２８０が第１キャビネット２１０の前方上側に設けられてもよい。
【００４１】
補助洗濯装置３００は、主洗濯装置２００に隣接して備えられてもよい。例えば、主洗濯装置２００の使用者の便宜のため、補助洗濯装置３００は主洗濯装置２００の下部に備えてもよい。このように、補助洗濯装置３００は、主洗濯装置２００の設置位置を上昇させて、主洗濯装置２００の使用者に便利さを提供することができる。
【００４２】
一方、洗濯物を洗濯する主洗濯装置２００と共に補助洗濯装置３００を設ける場合、主洗濯装置２００と補助洗濯装置３００とは互いに同じ洗濯容量を有するように設けることができる。しかし、衣類処理装置１００の設置空間の制約、及び衣類処理装置１００の製造コスト等を考慮して、主洗濯装置２００及び補助洗濯装置３００のうちの一方が他方に比べてさらに小さい容量を有するように備えられてもよい。
【００４３】
本実施例では、図１及び図２に示すように、補助洗濯装置３００が主洗濯装置２００に比べて洗濯容量、体積、高さのうちの少なくとも１つが小さいように構成されて備えられてもよい。これによって、使用者は、洗濯物の量に応じて、適切に主洗濯装置２００及び補助洗濯装置３００のうちの一方を選択して使用することができる。
【００４４】
使用者は、洗濯物の種類に応じて、主洗濯装置２００及び補助洗濯装置３００のうちの１つを選択して洗濯することができる。例えば、ベビー服及び下着等のように分別して洗濯する必要がある洗濯物又は少量の洗濯物は、補助洗濯装置３００を用いて洗濯し、その他の洗濯物は主洗濯装置２００を用いて洗濯することがきる。
【００４５】
具体的には、補助洗濯装置３００は、トップローディング方式で形成された洗濯装置であってもよい。また、補助洗濯装置３００は、第２キャビネット３１０に対して引き込み／引き出し可能なドロワーの形態で形成されてもよい。例えば、補助洗濯装置３００は、外観を形成する第２キャビネット３１０、第２キャビネット３１０内に引き込まれ、又、第２キャビネット３１０から引き出されるドロワーハウジング３６０、ドロワーハウジング３６０内に設けられて洗濯水が貯蔵される第２タブ３２０、及び第２タブ３２０内に回転可能に設けられて洗濯物が収容される第２ドラム３３０を備えてもよい。また、第２タブ３２０の一端には、第２タブ３２０内に収容された洗濯水を補助洗濯装置３００の外側に排水するための排水部４００が備えられてもよい。
【００４６】
ドロワーハウジング３６０は、衣類処理装置１００の前方向に向かって第２キャビネット３１０に形成された開口部３５０を介して、第２キャビネット３１０内に引き込まれ、又、第２キャビネット３１０から引き出される。
【００４７】
第２ドラム３３０は、ドロワーハウジング３６０内で第２タブ３２０の外側に設けられた第２モータ３４０により回転することができる。すなわち、第２モータ３４０の第２シャフト３４１が、第２タブ３２０の下面を貫通して第２ドラム３３０の下面に連結されている。したがって、第２モータ３４０の駆動力は、第２シャフト３４１を介して第２ドラム３３０に伝達され得る。
【００４８】
一方、ドロワーハウジング３６０の前方にはカバーパネル３６１を設置することができる。このようなカバーパネル３６１はドロワーハウジング３６０と一体に形成されてもよい。また、カバーパネル３６１には、ドロワーハウジング３６０の引き込み及び引き出しのための取っ手３６２が形成されてもよく、カバーパネル３６１の上面には、補助洗濯装置３００を操作するためのコントロールパネル３８０が備えられてもよい。また、ドロワーハウジング３６０の上部には、第２タブ３２０内に洗濯水を供給するための洗濯水供給孔３６５、及び第２ドラム３３０内に洗濯物を投入し又取り出すためのドア３６３が設置されてもよい。ドア３６３の一端には、ドア３６３を引いて開けるためのカバー取っ手３６４が備えられてもよい。以下、図３を参照して、本発明に係る補助洗濯装置をより具体的に説明する。
【００４９】
図３は、本発明に係る衣類処理装置（即ち、補助洗濯装置）の分解図である。
【００５０】
図３に示すように、本発明に係る補助洗濯装置３００は、上部面が開放されたドロワーハウジング３６０、及び前記ドロワーハウジング３６０の開放された上部面に備えられるドロワーカバー３６６を含んでもよい。
【００５１】
前記ドロワーハウジング３６０は、内部に六面体形状の空間を形成することができ、前記ドロワーカバー３６６は、ドロワーハウジング３６０の上部の面を形成するようにドロワーハウジング３６０に固定され得る。
【００５２】
前記ドロワーハウジング３６０の前方面にはカバーパネル３６１を設置することができる。カバーパネル３６１の前方面には取っ手３６２を備えてもよい。使用者は、前記取っ手３６２を用いて、第２キャビネット３１０内に挿入されたドロワーハウジング３６０を第２キャビネット３１０の外側に引き出すことができる。
【００５３】
カバーパネル３６１の上面には、補助洗濯装置３００を操作するためのコントロールパネル３８０を設置することができる。コントロールパネル３８０は、補助洗濯装置３００の内側の衣類収容部に洗濯水を給／排水するための手段、衣類を回転させる手段、及び衣類にスチームや熱風を供給する手段等を制御するために使用者が制御命令を入力するための手段である。また、前記コントロールパネル３８０は、使用者によって入力された制御命令を確認し、使用者が入力した制御命令の実行過程を使用者に通知するための手段としても使用することができる。
【００５４】
ドロワーカバー３６６は、前記ドロワーカバー３６６を貫通するように設けられ、ドロワーハウジング３６０の内部をドロワーハウジング３６０の外部と連通させる投入口３６７、及び前記ドロワーカバー３６６を貫通するように設けられ、補助洗濯装置３００（即ち、第２タブ）の内側に洗濯水を案内する洗濯水供給孔３６５を備えてもよい。
【００５５】
ドロワーハウジング３６０内には、洗濯水が貯蔵される空間を提供する第２タブ３２０、及び前記第２タブ３２０の内部に回転可能に設けられて洗濯物が収容される第２ドラム３３０を備えてもよい。
【００５６】
前記第２タブ３２０は、洗濯水が貯蔵される空間を提供し、上部面が開放された形状のタブボディー３２１、及び前記タブボディー３２１の上部面に設置されるタブカバー３２２で構成することができる。
【００５７】
また、第２ドラム３３０は、タブボディー３２１の外部に備えられた駆動部によってタブボディー３２１の内部で回転できる。駆動部は、タブボディー３２１の外側に設置された第２モータ３４０、及び前記第２モータ３４０の駆動力を第２ドラム３３０に伝達する第２シャフト３４１で構成することができる（図２参照）。このとき、第２モータ３４０は、タブボディー３２１に固定されて回転磁場を形成するステータ、及び回転磁場により回転するローターで構成され得る。
【００５８】
一方、タブボディー３２１は、タブ支持部Ｄを介してドロワーハウジング３６０の内部に設置され得る。タブ支持部Ｄは、第２ドラム３３０の回転による振動が第２タブ３２０を通して第２キャビネット３１０に伝達されることを防止する。具体的には、タブ支持部Ｄは、第２タブ３２０を第２キャビネット３１０の底面から浮遊状態で支持しつつ、第２タブ３２０の振動を緩衝する役割を果たす。
【００５９】
この場合、ドロワーハウジング３６０には、前記タブ支持部Ｄの一端部を支持するように形成された第１ブラケット３６８が設けられ、前記タブボディー３２１の外周面には、前記タブ支持部Ｄの他端部を支持するように形成された第２ブラケット３２８が設けられてもよい。
【００６０】
第１ブラケット３６８は、ドロワーハウジング３６０の内周面からドロワーハウジング３６０の中心に向かって突出するように形成することができ、第２ブラケット３２８は、タブボディー３２１の外周面からドロワーハウジング３６０の内周面に向かって突出するように形成することができる。
【００６１】
前記タブカバー３２２には、前記タブカバー３２２を貫通するように設けられて前記投入口３６７と前記第２ドラム３３０とを連通させるタブ投入口３２３が設けられてもよい。また、タブカバー３２２には、ドロワーハウジング３６０に設けられた洗濯水供給孔３６５の下部に位置し、前記洗濯水供給孔３６５に流入する洗濯水をドラム３３０に案内する貫通孔３２４がさらに設けられてもよい。
【００６２】
タブ投入口３２３にはドア３６３を設置することができる。また、ドア３６３は、前記タブカバー３２２に回転可能に設けられてもよい。ドア３６３は、ヒンジ（図示せず）を介してタブカバー３２２に結合されてもよい。このとき、投入口３６７はタブ投入口３２３の上部に位置し、前記ドア３６３及び前記タブ投入口３２３の大きさは前記投入口３６７の大きさよりも小さく形成することができる。したがって、タブ投入口３２３がドロワーカバー３６６の下部に位置しているにもかかわらず、ドア３６３を介してタブ投入口３２３を開閉することができる。
【００６３】
特に、前記ドア３６３の外周面は、前記投入口３６７の内周面から所定距離離隔して備えられることが好ましい。これは、幾何公差（ｇｅｏｍｅｔｒｉｃ  ｔｏｌｅｒａｎｃｅ）や位置公差（ｐｏｓｉｔｉｏｎａｌ  ｔｏｌｅｒａｎｃｅ）によって前記ドア３６３が投入口３６７に干渉してタブ投入口３２３を開放できなくなる問題を防止するためである。
【００６４】
前記ドア３６３には、前記ドア３６３をドロワーカバー３６６又はタブカバー３２２に着脱可能に固定させる取っ手３６４が備えられてもよい。
【００６５】
一方、前記ドア３６３には、前記タブ投入口３２３を通して洗濯水が漏出することを防止するためのシーリング部（図示せず）が備えられてもよい。このようなシーリング部は、ドア３６３がタブ投入口３２３を閉鎖した時にタブ投入口３２３をシーリングできる限りいかなる材質で形成されてもよい。一例として、前記シーリング部は、ゴムのような弾性体であってもよい。
【００６６】
以下、図４及び図５を参照して、本発明に係る衣類処理装置（即ち、補助洗濯装置）の排水部について説明する。
【００６７】
図４は、本発明に係る補助洗濯装置のドロワーハウジングの背面に設けられる排水部を示す背面図であり、図５は、図４に示す排水部を概略的に示す斜視図である。
【００６８】
図４及び図５には、給水部を除外した排水部のみが示されている。給水部については、図６及び図７を参照して別途説明する。
【００６９】
図４及び図５に示すように、衣類処理装置の排水部４００は、第２タブ３２０の内側の洗濯水を排出するための動力を提供する排水ポンプ４１０、及び前記排水ポンプ４１０に連結されて前記第２タブ３２０の内側の洗濯水を前記第２タブ３２０の外側に案内する排水ライン４２０を含む。具体的には、排水部４００は、ドロワーハウジング３６０の背面に設置することができる。例えば、第２タブ３２０内の洗濯水を第２キャビネット３１０の外側に排水するために、排水ポンプ４１０はドロワーハウジング３６０の背面下側に備えてもよい。具体的には、排水ポンプ４１０は、ドロワーハウジング３６０の背面において、左側下部または右側下部に配置してもよい。また、排水ライン４２０の一端部は、排水ポンプ４１０の一端に連通してもよく、排水ライン４２０の他端部は、第２キャビネット３１０の外側で下水溝等に連通するように配置してもよい。
【００７０】
前記排水ライン４２０は、“Ｃ”字状に形成することができる。例えば、排水ライン４２０は、排水ポンプ４１０の一端からドロワーハウジング３６０の幅方向に延びる第１ライン４２１、前記第１ライン４２１と連通し、第１ライン４２１の端部からドロワーハウジング３６０の高さ方向に延びる第２ライン４２２、及び前記第２ライン４２２と連通し、第２ライン４２２の端部からドロワーハウジング３６０の幅方向に延びる第３ライン４２３を含んでもよい。また、第１ライン４２１、第２ライン４２２及び第３ライン４２３は一体的に形成されてもよい。
【００７１】
また、第３ライン４２３の端部は、排水ブラケット４２４によってドロワーハウジング３６０の背面に固定され得る。例えば、排水ブラケット４２４は、ドロワーハウジング３６０の背面において、右側上部または左側上部に配置されてもよく、第３ライン４２３の端部は前記排水ブラケット４２４に連結され得る。前記排水ブラケット４２４には排水孔４２５が形成されているので、第３ライン４２３の端部から出た洗濯水は、排水ブラケット４２４の排水孔４２５を通して第２キャビネット３１０の外部に排出され得る。
【００７２】
図示していないが、排水孔４２５には、第２キャビネット３１０の外部にある下水溝まで案内する排水案内管が連結されてもよい。
【００７３】
したがって、洗い又はすすぎ過程が完了して第２タブ３２０内の洗濯水を排出するとき、洗濯水は、排水ポンプ４１０、第１ライン４２１、第２ライン４２２、第３ライン４２３、排水ブラケット４２４の排水孔４２５及び排水案内管を順次通過して、第２キャビネット３１０の外側に排出され得る。
【００７４】
一方、図５は、衣類処理装置（即ち、補助洗濯装置）において、排水部を中心に示した斜視図である。図５に示すように、排水部４００は、残水排出ライン４３０をさらに含んでもよい。
【００７５】
例えば、第２タブ３２０内の洗濯水を排出するための排水ポンプ４１０の作動が中断されると、排水ライン４２０には洗濯水が残留し得る。具体的には、第２ライン４２２及び第３ライン４２３のうちの１つは第２タブ３２０の内側と連通し得る。そして、排水ポンプ４１０の作動が中断されるとき、第２ライン４２２及び第３ライン４２３のうちの１つに第２タブ３２０の内部の空気が流入するとサイフォン現象が遮断されるので、第２ライン４２２及び第３ライン４２３よりも低い位置に配置された第１ライン４２１に洗濯水が残留する可能性が高い。
【００７６】
第１ライン４２１に洗濯水が残留する場合、排水ライン４２０を通して下水溝の悪臭が第２タブ３２０内に流入することを防止できるという効果がある。しかしながら、冬に第１ライン４２１が凍結及び破損するおそれがある。したがって、必要に応じて、第１ライン４２１の内部の洗濯水も排水する必要がある。そのために、本発明は残水排出ライン４３０を備えてもよい。
【００７７】
図５に示したように、残水排出ライン４３０の一端部４３１は排水ポンプ４１０に連結され、残水排出ライン４３０の他端部４３２は、自由端としてドロワーハウジング３６０の側面の前方部に分離可能に設置されてもよい。例えば、残水排出ライン４３０は、ドロワーハウジング３６０の背面に設置された排水ポンプ４１０からドロワーハウジング３６０の側面に沿ってドロワーハウジング３６０の前方に向かって延びるように配置することができる。
【００７８】
このとき、通常時には第１ライン４２１内の残水を維持するために、残水排出ライン４３０の他端部４３２は、第１ライン４２１よりも高い位置に配置しなければならない。図５を参照すると、残水排出ライン４３０の他端部４３２は、第１ライン４２１よりも高い位置で上側に向かうように配置されている。
【００７９】
このように、残水排出ライン４３０の他端部４３２は、ドロワーハウジング３６０が第２キャビネット３１０から引き出されるときに第２キャビネット３１０の外部に露出するように配置され得る。また、残水排出ライン４３０の他端部４３２は開閉部４３５を備えてもよい。
【００８０】
そして、ドロワーハウジング３６０の側面には、前記残水排出ライン４３０を案内するための案内ブラケット４３３を設置することができる。また、ドロワーハウジング３６０の側面の前方部には、前記残水排出ライン４３０の自由端である他端部４３２を分離可能に固定するための固定ブラケット４３４を設置することができる。
【００８１】
第１ライン４２１は、排水ポンプ４１０から遠い端部から排水ポンプ４１０に近い端部に向かって下向きに傾斜するように配置することができる。また、第１ライン４２１と残水排出ライン４３０とは、排水ポンプ４１０を介して互いに連通するように形成することができる。
【００８２】
したがって、使用者が第１ライン４２１に残留する洗濯水を排出しようとするとき、まず、使用者は、ドロワーハウジング３６０を第２キャビネット３１０から引き出し、ドロワーハウジング３６０の側面に設置された残水排出ライン４３０の自由端である他端部４３２を分離する。
【００８３】
そして、使用者が、分離された残水排出ライン４３０の他端部４３２において開閉部を開け、前記他端部４３２を下向きに傾斜させると、第１ライン４２１に残留する洗濯水は、排水ポンプ４１０を経由して、残水排出ライン４３０を通して第２キャビネット３１０の外部に排出され得る。
【００８４】
また、使用者が第１ライン４２１及び排水ポンプ４１０内に残留する洗濯水を、残水排出ライン４３０を介して第２キャビネット３１０の外部に排出するためには、前記開閉部４３５を開ける過程が先行しなければならない。
【００８５】
一方、図４に示すように、第２タブ３２０内に洗濯水（冷水及び温水のうちの少なくとも１つ）を供給するための洗濯水供給孔５０１，５０２を設けてもよい。洗濯水は、外部の水源から第２タブ３２０内に供給されてもよく、前記外部の水源と洗濯水供給孔５０１，５０２とは、図示していない供給ホースなどによって連結されてもよい。このような洗濯水供給構造について、以下、図６及び図７を参照して具体的に説明する。
【００８６】
図６は、本発明に係る補助洗濯装置の給水部を示す図である。図４及び図５で説明した排水部は、図６に示された衣類処理装置に適用されてもよい。
【００８７】
図６に示すように、本発明に係る衣類処理装置（補助洗濯装置）は給水部５００をさらに含んでもよい。
【００８８】
給水部５００は、第２タブ３２０内に洗濯水を供給するための供給管５１１，５１２、第２タブ３２０の内側に向かって延びる給水管５３０、及び前記供給管５１１，５１２と前記給水管５３０とを連結する給水連結管５２０を含んでもよい。
【００８９】
より具体的には、前記給水部５００の供給管５１１，５１２は、第２タブ３２０内に温水を供給するための温水管５１１と、第２タブ３２０内に冷水を供給するための冷水管５１２とで構成され得る。また、給水連結管５２０は、前記温水管５１１と前記冷水管５１２とを連結するように形成され得る。
【００９０】
また、前記給水管５３０は、前記給水連結管５２０から第２タブ３２０の内側に向かって延びるように形成することができる。
【００９１】
給水部５００は、第２タブ３２０内に温水を供給するための温水管５１１、第２タブ３２０内に冷水を供給するための冷水管５１２、温水管５１１と冷水管５１２とを連結する給水連結管５２０、及び前記給水連結管５２０から第２タブ３２０の内側に向かって延びる給水管５３０を含んでもよい。
【００９２】
したがって、温水管５１１及び冷水管５１２のうちの少なくとも１つを介して給水連結管５２０に向かって供給された温水及び冷水のうちの少なくとも１つは、前記給水管５３０を通して第２タブ３２０の内側に供給され得る。
【００９３】
このとき、温水及び冷水は、第２キャビネット３１０の内部または外部の水源（図示せず）から供給されてもよい。
【００９４】
また、給水管５３０は、ドロワーハウジング３６０の上側に配置することができる。そして、給水管５３０は、給水連結管５２０から第２タブ３２０の内側に向かって下方に傾斜するように配置することができる。
【００９５】
また、給水連結管５２０から第２タブ３２０の内側に向かって延びた給水管５３０の端部は、第２タブ３２０内に洗濯水を供給するためにドロワーハウジング３６０の上部に設けられた洗濯水供給孔３６５に連結され得る。このとき、給水管５３０は、給水連結管５２０からドロワーハウジング３６０の上側の洗濯水供給孔３６５に向かって下方に傾斜するように配置され得る。
【００９６】
そして、ドロワーハウジング３６０の外側には連結ブラケット５１３を設置することができる。例えば、連結ブラケット５１３は、ドロワーハウジング３６０の後方の上側に配置され得る。このとき、給水連結管５２０は前記連結ブラケット５１３に設置され得る。
【００９７】
一方、ドロワーハウジング３６０が第２キャビネット３６０内に引き込まれたり、第２キャビネット３６０から引き出されたりするとき、給水管５３０が捩れたり破損したりするおそれがある。
【００９８】
これを防止するために、本発明に係る衣類処理装置（補助洗濯装置）は、給水管５３０を案内するガイダー５４０、及び前記ガイダー５４０の端部を案内するガイドレール５５０をさらに含んでもよい。
【００９９】
図６を参照すると、ガイダー５４０は、ドロワーハウジング３６０の上側においてドロワーハウジング３６０の幅方向に沿って延びるように配置することができる。例えば、ガイダー５４０は、ドロワーハウジング３６０の後方の上面においてドロワーハウジング３６０の幅方向に沿って延びるように配置することができる。
【０１００】
また、ガイダー５４０は、給水管５３０の少なくとも一部を囲む形態で形成することができ、給水管５３０を固定するための１つ以上の固定突起５４１を設けてもよい。
【０１０１】
このとき、前記固定突起５４１は、給水管５３０が上側へ離脱することを防止するように形成され得る。
【０１０２】
また、ガイドレール５５０は、ドロワーハウジング３６０の上側において連結ブラケット５１３の対向側面に設置することができる。例えば、ドロワーハウジング３６０の幅方向において、ガイドレール５５０は連結ブラケット５１３の対向側面に設置され得る。
【０１０３】
ドロワーハウジング３６０が第２キャビネット３１０から引き出されるとき、ガイドレール５５０は、ガイダー５４０の端部をドロワーハウジング３６０が引き出される方向に案内する役割を果たす。
【０１０４】
具体的に、ガイダー５４０の一端部は、ドロワーハウジング３６０の上側に設けられた連結ブラケット５１３に旋回可能に連結される。したがって、ドロワーハウジング３６０が第２キャビネット３１０の内側に引き込まれた状態で、ガイダー５４０の他端部は前記ガイドレール５５０の一端部に配置され得る。そして、ドロワーハウジング３６０が第２キャビネット３１０の外側に引き出されるとき、ガイダー５４０の他端部は、前記ガイドレール５５０に沿ってガイドレール５５０の他端部に移動し得る。
【０１０５】
もちろん、第２キャビネット３１０から引き出された状態のドロワーハウジング３６０が再び第２キャビネット３１０の内部に引き込まれるときは、ガイダー５４０の他端部は、前記ガイドレール５５０に沿ってガイドレール５５０の一端部に移動し得る。
【０１０６】
前記ガイダー５４０の他端部にはガイダーブラケット５４２を備えてもよい。給水管５３０は、前記ガイダーブラケット５４２で湾曲して洗濯水供給孔３６５に向かって延びることができる。また、ガイダー５４０とガイドレール５５０との連結は前記ガイダーブラケット５４２を通じて行われる。このとき、ガイダー５４０とガイダーブラケット５４２とは一体的に形成されてもよい。
【０１０７】
したがって、ドロワーハウジング３６０が第２キャビネット３１０の外側に引き出されるとき、ガイダー５４０の他端部に備えられたガイダーブラケット５４２は、前記ガイドレール５５０に沿ってガイドレール５５０の一端部から他端部に移動できる。また、ドロワーハウジング３６０が第２キャビネット３１０の内側に引き込まれるとき、ガイダーブラケット５４２は、前記ガイドレール５５０に沿ってガイドレール５５０の他端部から一端部に移動できる。
【０１０８】
上記のようにガイダー５４０を案内するために、前記ガイドレール５５０は、所定の曲率を有する曲線の形態で形成することができる。そして、ガイドレール５５０の一端部及び他端部は、それぞれドロワーハウジング３６０の上側に固定され得る。
【０１０９】
例えば、ガイドレール５５０の一端部は、ドロワーハウジング３６０の後方の上側に配置され、ガイドレール５５０の他端部は、ドロワーハウジング３６０の前方の上側に配置され得る。
【０１１０】
具体的に、ガイドレール５５０の一端部は、ドロワーハウジング３６０の幅方向の一側面に配置され、ガイドレール５５０の他端部は、ドロワーハウジング３６０の幅方向の中央部に配置され得る。
【０１１１】
一方、給水管５３０に洗濯水が残留する場合、気温の低い冬場には、前記給水管５３０が凍結及び破損するおそれがある。
【０１１２】
また、第２タブ３２０内の洗濯水を排水するとき、排水ライン４２０内の洗濯水が、サイフォン現象によって全て排水ライン４２０の外に排出され得る。
【０１１３】
前記のサイフォン現象によって排水ライン４２０の内側及び第２タブ３２０の内側に洗濯水が残留しないという点は有利であり得る。しかし、前記のサイフォン現象によって、下水溝からの悪臭が排水ライン４２０を通して第２タブ３２０の内側に流入し得るという問題があり、洗濯水の排水が完了する前に第２タブ３２０内に洗濯水が給水される場合、第２タブ３２０に流入する洗濯水まで排水され得るおそれがある。
【０１１４】
前記の問題点を防止するための給水部５００及び排水部４００の構造を、以下、図６及び図７を共に参照して具体的に説明する。
【０１１５】
図７は、図６の給水部を示す拡大図である。図６及び図７を共に参照すると、本発明に係る衣類処理装置（即ち、補助洗濯装置）は、給水部５００と排水部４００が互いに連通するように形成され得る。
【０１１６】
したがって、給水部５００を介して第２タブ３２０内に洗濯水が供給されるとき、排水部４００を通じて給水部５００に大気圧が加わるので、給水部５００に洗濯水が残留することを防止することができる。
【０１１７】
すなわち、（図示していない）外部モータまたはポンプなどによる給水動作が止まっても、給水部５００内の洗濯水は、排水部４００を通じて加わった大気圧によって洗濯水供給孔３６５を通して第２タブ３２０内に供給され得る。
【０１１８】
したがって、気温の低い冬に、洗濯水が給水部５００に残留して給水部５００が凍結及び破損することを防止することができる。
【０１１９】
この場合、給水部５００を介した洗濯水の供給時間は、排水部４００による洗濯水の排水時間と少なくとも所定の時間重ならないように制御されなければならない。
【０１２０】
例えば、給水連結管５２０の一端は排水部４００と連通するように形成することができる。このとき、給水連結管５２０は、連通ホース６００を介して排水部４００と連通するように形成することができる。
【０１２１】
具体的に、給水連結管５２０の一端が連通ホース６００を介して排水ライン４２０と連通するように形成することができる。より具体的には、給水連結管５２０の一端が連通ホース６００を介して排水ライン４２０のうち最も上側に設けられた第３ライン４２３と連通するように形成することができる。
【０１２２】
一方、排水ライン４２０のうち最も上側に配置された第３ライン４２３の端部は、排水ブラケット４２４によってドロワーハウジング３６０の背面に固定され得る（図４及び図５参照）。このとき、前記排水ライン４２０は、前記ドロワーハウジング３６０の背面に設置された排水ブラケット４２４を介して前記給水連結管５２０と連通するように形成され得る。この場合に、連通ホース６００が排水ブラケット４２４と給水連結管５２０を連通させることが可能である。
【０１２３】
上述した構造によって給水部５００と排水部４００が連通し得るので、給水部５００に洗濯水が残留することによる給水部５００の凍結及び破損を防止することができる。
【０１２４】
また、前記給水連結管５２０は連通突出部５２２を備え、前記給水連結管５２０の連通突出部５２２は連通ホース６００を介して前記第３ライン４２３の一端と連通し得る。そして、給水連結管５２０は給水突出部５２１をさらに備え、給水突出部５２１には給水管５３０が連結され得る。
【０１２５】
したがって、給水管５３０に洗濯水が残留する場合に、第２タブ３２０の内側と連通する排水ライン４２０（例えば、第３ライン４２３）及び連通ホース６００を通じて給水管５３０に大気圧が加わって、給水管５３０内の洗濯水が給水管５３０内に残留せずに第２タブ３２０内へ流れ込み得る。
【０１２６】
このとき、給水管５３０が給水連結管５２０から第２タブ３２０の内側に向かって下方に傾斜するように配置された構造は、給水管５３０内の洗濯水が第２タブ３２０の内側に向かって流れ込むことを助ける。
【０１２７】
上記のように給水部５００と排水部４００とを連通させることによって（即ち、給水連結管５２０と排水ブラケット４２４とを連通させることによって）、気温の低い冬場に給水管５３０内に洗濯水が残らないので、給水管５３０が凍結及び破損することを防止することができる。
【０１２８】
また、図示していないが、柔軟剤供給ラインが別途提供される場合、給水連結管５２０を柔軟剤供給ラインに連結する方法を考慮することができる。すなわち、給水管５３０に残留する洗濯水を第２タブ３２０内に流すために、給水連結管５２０が柔軟剤供給ラインに連通するように構成し得る。このような構造により、上述した給水連結管５２０と排水ブラケット４２４とを連通させることと同様の効果を奏することができる。
【０１２９】
一方、連通ホース６００と連結される給水連結管５２０の一端には、前記第２タブ３２０内に供給される洗濯水が排水部４００（例えば、排水ブラケット４２４）に向かって流れることを防止するためのチェック弁（図示せず）が設置されてもよい。すなわち、給水連結管５２０に設置されるチェック弁（図示せず）は、給水連結管５２０において連通ホース６００が連結される部分に設置され得る。
【０１３０】
また、前記連通ホース６００に連結される排水部４００（例えば、排水ブラケット４２４）の一端には、前記第２タブ３２０の外側に排水される洗濯水が給水連結管５２０に向かって流れることを防止するためのチェック弁（図示せず）が設置されてもよい。すなわち、排水ブラケット４２４に設置されるチェック弁（図示せず）は、排水ブラケット４２４において連通ホース６００が連結される部分に設置され得る。
【０１３１】
もちろん、連通ホース６００は、排水ライン４２０のうち第３ライン４２３に直接連結されてもよく、この場合、第３ライン４２３において連通ホース６００が連結された部分に前記チェック弁（図示せず）が設置され得る。
【０１３２】
また、上述した給水部５００と排水部４００とが連通する構造は、第２タブ３２０内の洗濯水を排水するときに排水部４００で発生し得るサイフォン現象を遮断する機能を果たすことができる。
【０１３３】
例えば、第２タブ３２０内の洗濯水を排出するために排水ポンプ４１０が作動すると、第２タブ３２０内の洗濯水がサイフォン現象によって排出され得る。
【０１３４】
サイフォン現象が発生すると、第２タブ３２０と排水ライン４２０とに洗濯水が残留せずに全部排出され得るという点は有利である。しかし、排水ライン４２０内の洗濯水が全て排出される場合、下水溝の悪臭が前記排水ライン４２０を通して第２タブ３２０内に流入し得るという問題がある。また、洗濯水の排水が完了する前に第２タブ３２０に洗濯水が給水される場合、第２タブ３２０内に流入する洗濯水まで排水され得るという問題がある。
【０１３５】
この場合、上述した給水部５００と排水部４００とを連通する構造によって、排水ライン４２０にサイフォン現象が発生することを防止することができる。
【０１３６】
一方、排水ライン４２０で発生し得るサイフォン現象を防止するために（即ち、排水ポンプ４１０が作動していないにもかかわらず、第２タブ３２０に供給された洗濯水が排水ライン４２０を通して第２タブ３２０の外部に排出されることを防止するために）、排水ブラケット４２４に設けられた排水孔４２５は、第２タブ３２０内に貯蔵可能な洗濯水の最高水位よりも高い位置に設けなければならない。
【０１３７】
例えば、排水ポンプ４１０の作動が中断されると、連通ホース６００を介して第２タブ３２０の内部の空気が排水ライン４２０に流入してサイフォン現象が遮断されるので、排水ライン４２０内の洗濯水のうち、連通ホース６００が排水ライン４２０または排水ブラケット４２４と結合される位置よりも低い位置にある洗濯水は、排水ライン４２０内に残留するようになる。通常、洗濯水は排水ライン４２０のうち第１ライン４２１に残留するようになる。
【０１３８】
排水ライン４２０に洗濯水が残留する場合、排水ライン４２０を通して下水溝の悪臭が第２タブ３２０内に流入することを防止することができる。この場合、冬場には排水ライン４２０が凍結及び破損するおそれがある。したがって、冬場には、図５を参照して説明した残水排出ライン４３０を介して、排水ライン４２０内に残留する洗濯水を全て衣類処理装置の外部に排出することができる。ただし、残水排出ライン４３０の内部の残水を排出するためには、使用者がドロワーハウジング３６０を第２キャビネット３１０から引き出さなければならない。
【０１３９】
本発明は様々な形態に変形して実施することが可能であり、その権利範囲は上述した実施例には限定されない。したがって、変形した実施例が本発明の特許請求の範囲の構成要素を含んでいる場合、本発明の権利範囲に属するものと解さねばならない。
【符号の説明】
【０１４０】
１００    衣類処理装置
２００    主洗濯装置
３００    補助洗濯装置
４００    排水部
４１０    排水ポンプ
４２０    排水ライン
４３０    残水排出ライン
５００    給水部
５２０    給水連結管
６００    連通ホース
【図１】
2016032636.tif 000003
【図２】
2016032636.tif 000004
【図３】
2016032636.tif 000005
【図４】
2016032636.tif 000006
【図５】
2016032636.tif 000007
【図６】
2016032636.tif 000008
【図７】
2016032636.tif 000009